【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
閃光装置と撮像装置を有するカメラシステムであって、
前記閃光装置の本発光の前に行われる第１のプリ発光時に測光を行う第１の測光手段と、
前記第１のプリ発光と前記本発光との間に行われる第２のプリ発光時に測光を行う第２の測光手段と、
前記第１のプリ発光時の測光値に基づいて、前記第２の測光手段の出力が所定の範囲内となるように前記第２のプリ発光時における前記カメラシステムの撮影条件を設定する設定手段と、
前記第２のプリ発光時の測光値に基づいて、前記閃光装置の本発光量を決定する決定手段と、を有することを特徴とするカメラシステム。
【請求項２】
前記所定の範囲は、前記第２の測光手段のダイナミックレンジに基づいて設定される範囲であることを特徴とする請求項１に記載のカメラシステム。
【請求項３】
前記第２の測光手段は、前記第１の測光手段よりもダイナミックレンジが狭いことを特徴とする請求項１または２に記載のカメラシステム。
【請求項４】
前記カメラシステムの撮影条件は、前記第２のプリ発光の発光量、絞り値および前記第２の測光手段のゲインのうち少なくとも１つであることを特徴とする請求項１ないし３のいずれか１項に記載のカメラシステム。
【請求項５】
前記撮像素子から予め設定された周期で出力される画像を逐次表示する表示手段を有し、
前記表示手段は、前記第１のプリ発光が行われた後に前記撮像素子から予め設定された周期で出力される画像の逐次表示を開始し、前記第２のプリ発光は、前記撮像素子から出力された画像の表示中に行われることを特徴とする請求項１ないし４のいずれか１項に記載のカメラシステム。
【請求項６】
前記設定手段は、前記表示手段による前記撮像素子から出力される画像の逐次表示が開始されてから前記第２のプリ発光が行われるまでの間の、前記表示手段に表示される主被写体の大きさの変化量に応じて、前記第２のプリ発光時の前記カメラシステムの撮影条件を再度設定することを特徴とする請求項５に記載のカメラシステム。
【請求項７】
被写体までの距離情報を検出する距離検出手段を有し、
前記設定手段は、前記撮像素子から出力される画像の逐次表示が開始される前に検出された前記距離情報と前記第２のプリ発光が行われる直前に検出された前記距離情報との差分に応じて、前記第２のプリ発光時の前記カメラシステムの撮影条件を再度設定することを特徴とする請求項５または６に記載のカメラシステム。
【請求項８】
前記表示手段は、前記第２のプリ発光が行われた際に前記撮像素子から出力された画像は表示しないことを特徴とする請求項５ないし７のいずれか１項に記載のカメラシステム。
【請求項９】
前記表示手段は、前記第２のプリ発光が行われた際に、前記第２のプリ発光が行われる直前に前記撮像素子から出力された画像を表示することを特徴とする請求項８に記載のカメラシステム。
【請求項１０】
前記第２の測光手段は、撮像素子を用いて前記第２のプリ発光時に測光を行うことを特徴とする請求項１ないし９のいずれか１項に記載のカメラシステム。
【請求項１１】
閃光装置を用いた撮影が可能な撮像装置であって、
前記閃光装置の本発光の前に行われる第１のプリ発光時に測光を行う第１の測光手段と、
前記第１のプリ発光と前記本発光との間に行われる第２のプリ発光時に測光を行う第２の測光手段と、
前記第１のプリ発光時の測光値に基づいて、前記第２の測光手段の出力が所定の範囲内となるように、前記第２のプリ発光時における前記撮像装置および前記閃光装置の少なくとも一方の撮影条件を設定する設定手段と、
前記第２のプリ発光時の測光値に基づいて、前記閃光装置の本発光量を決定する決定手段と、を有することを特徴とする撮像装置。
【手続補正２】
【補正対象書類名】明細書
【補正対象項目名】発明の名称
【補正方法】変更
【補正の内容】
【発明の名称】カメラシステム及び撮像装置
【手続補正３】
【補正対象書類名】明細書
【補正対象項目名】０００１
【補正方法】変更
【補正の内容】
【０００１】
本発明は、閃光装置を用いた撮影が可能な撮像装置及び閃光装置と撮像装置を有するカメラシステムに関する。
【手続補正４】
【補正対象書類名】明細書
【補正対象項目名】００１６
【補正方法】変更
【補正の内容】
【００１６】
そこで、本発明は、ライブビュー中、閃光装置を用いた撮影時、レリーズボタンが押されてから撮像動作が開始されるまでのタイムラグが安定し、かつ短いタイムラグで撮影が可能であるカメラシステム及び撮像装置を提供することを目的とする。
【手続補正５】
【補正対象書類名】明細書
【補正対象項目名】００１７
【補正方法】変更
【補正の内容】
【００１７】
上記目的を達成するために、本発明に係るカメラシステムは、閃光装置と撮像装置を有するカメラシステムであって、前記閃光装置の本発光の前に行われる第１のプリ発光時に測光を行う第１の測光手段と、前記第１のプリ発光と前記本発光との間に行われる第２のプリ発光時に測光を行う第２の測光手段と、前記第１のプリ発光時の測光値に基づいて、前記第２の測光手段の出力が所定の範囲内となるように前記第２のプリ発光時における前記カメラシステムの撮影条件を設定する設定手段と、前記第２のプリ発光時の測光値に基づいて、前記閃光装置の本発光量を決定する決定手段と、を有することを特徴とする。
【手続補正６】
【補正対象書類名】明細書
【補正対象項目名】００１８
【補正方法】変更
【補正の内容】
【００１８】
また、本発明に係る撮像装置は、閃光装置を用いた撮影が可能な撮像装置であって、前記閃光装置の本発光の前に行われる第１のプリ発光時に測光を行う第１の測光手段と、前記第１のプリ発光と前記本発光との間に行われる第２のプリ発光時に測光を行う第２の測光手段と、前記第１のプリ発光時の測光値に基づいて、前記第２の測光手段の出力が所定の範囲内となるように、前記第２のプリ発光時における前記撮像装置および前記閃光装置の少なくとも一方の撮影条件を設定する設定手段と、前記第２のプリ発光時の測光値に基づいて、前記閃光装置の本発光量を決定する決定手段と、を有することを特徴とする。
【手続補正７】
【補正対象書類名】明細書
【補正対象項目名】００１９
【補正方法】変更
【補正の内容】
【００１９】
本発明によれば、ライブビュー中、閃光装置を用いた撮影時、レリーズボタンが押されてから撮像動作が開始されるまでのタイムラグが安定し、かつ短いタイムラグで撮影が可能である。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】変更
【補正の内容】
【００２４】
本発明のカメラシステム及び撮像装置の実施の形態について図面を参照しながら説明する。本実施形態のカメラシステムは、閃光装置（ストロボ）を搭載したデジタル一眼レフレックスカメラからなるカメラシステムに適用される。
【手続補正１３】
【補正対象書類名】明細書
【補正対象項目名】００６３
【補正方法】変更
【補正の内容】
【００６３】
カメラマイコン１０１は、Ｘ端子をオンにし、閃光装置マイコン３１３にプリ発光開始を指示し、プリ発光を開始させる（ステップＳ１１）。これと同時に、カメラマイコン１０１は、プリ発光時の撮像素子１０２を読み出し、プリ発光量を得る。
【手続補正１４】
【補正対象書類名】明細書
【補正対象項目名】００６８
【補正方法】変更
【補正の内容】
【００６８】
また、測光センサとして、ログ圧縮を行う測光センサを用いることができる。また、レンズを通り、主ミラーで反射されたプリ発光を測光するので、撮像素子と同じ条件でプリ発光を測光することができる。また、プリ発光の測光中、画像表示部に表示される画像を間引くもしくは前画像で補間するようにしてもよく、この場合、表示処理の負荷を軽減することができる。
【手続補正１５】
【補正対象書類名】明細書
【補正対象項目名】００８０
【補正方法】変更
【補正の内容】
【００８０】
ステップＳ７でレリーズボタンＳＷ２が押されていない場合、カメラマイコン１０１は、ライブビュー撮影が一定周期で行われるように、時間調整を行うとともに、主被写体の画像認識を既知の演算で行う（ステップＳ８Ｂ）。カメラマイコン１０１は、この画像認識の演算によって得られた主被写体の大きさをＭＯＢＪ＿ＬＶとして記憶する。特に、ライブビュー開始から最初の演算で得られた主被写体の大きさをＭＯＢＪ＿ＬＶ１として記憶する。